(57)【要約】【課題】破損や劣化を防止できるスピーカを得る。【解決手段】ガラススピーカ１０では、イオン発生膜１４に紫外線が照射されることで、表面近傍にＨ＋イオンとＯＨ−イオンとが発生される。また、領域Ａでは吸引電極１６がＯＨ−イオンを吸引してＨ＋イオンを残存させると共に、領域Ｂでは吸引電極１６がＨ＋イオンを吸引してＯＨ−イオンを残存させる。さらに、駆動電源２４によって表駆動電極２０と裏駆動電極２２との間に電圧が印加されることで駆動電界が発生され、これにより、Ｈ＋イオンとＯＨ−イオンとが振動されて音波が発生されることで、音波が伝播される。ここで、ガラススピーカ１０では、従来の振動膜が必要ないため、破損や劣化を防止できる。さらに、ガラス１２、イオン発生膜１４、吸引電極１６、表駆動電極２０及び裏駆動電極２２を全て透明としたため、ガラススピーカ１０を透明にすることができる。【選択図】　　　図１
2004056378.tif 000002
【特許請求の範囲】
【請求項１】
イオンを発生させるイオン発生手段と、
所定の駆動電界を発生させることでイオンを振動させて音波を発生させる駆動電極と、
を備えたスピーカ。
【請求項２】
前記イオン発生手段及び駆動電極の少なくとも一方を透明または細線状とした、ことを特徴とする請求項１記載のスピーカ。
【請求項３】
前記イオン発生手段がプラスイオンとマイナスイオンとを発生させた際にプラスイオンまたはマイナスイオンを吸引する吸引電極を備えた、ことを特徴とする請求項１または請求項２記載のスピーカ。
【請求項４】
前記吸引電極を透明または細線状とした、ことを特徴とする請求項３記載のスピーカ。
【請求項５】
前記イオン発生手段がプラスイオンとマイナスイオンとを発生させた際に前記駆動電極がプラスイオンとマイナスイオンとの振動方向を同一方向側とする、ことを特徴とする請求項１乃至請求項４の何れか１項記載のスピーカ。
【請求項６】
表面を平面状または曲面状とし、かつ、前記駆動電極は前記表面近傍でイオンを振動させる、ことを特徴とする請求項１乃至請求項５の何れか１項記載のスピーカ。
【発明の詳細な説明】
【０００１】
【発明の属する技術分野】
本発明は、音波を発生させるスピーカに関する。
【０００２】
【従来の技術】
透明なスピーカとしては、例えば特開平１０−１９１４９６号に記載の静電型透明スピーカがある。この静電型透明スピーカは、透明固定板を備えており、透明固定板上には透明電極膜が形成されている。透明固定板の前方には透明振動板（振動膜）が設けられており、透明振動板上にも透明電極膜が形成されている。
【０００３】
ここで、上記一対の透明電極膜の間に音響電気信号をかけると、その電圧の変動により、透明振動板が振動して音波が発生することで、音波が伝播される構成である。
【０００４】
しかしながら、この静電型透明スピーカでは、透明振動板が振動する必要があるため、透明振動板は大変デリケートな膜とならざるを得ない。このため、鉛筆が刺さる等により簡単に透明振動板が破れる恐れがあると共に、透明振動板が樹脂製とされた場合には、透明振動板（樹脂）の劣化が生じ易いという問題がある。
【０００５】
また、振動膜を有しないスピーカとしては、膜状の圧電素子をガラスに貼り付けたものがある。ところが、圧電素子を透明（充分な透明）に作ることができないため、振動膜を有しない透明なスピーカを作ることは不可能であった。
【０００６】
【発明が解決しようとする課題】
本発明は、上記事実を考慮し、破損や劣化を防止できるスピーカを得ることが目的である。
【０００７】
【課題を解決するための手段】
請求項１に記載のスピーカは、イオンを発生させるイオン発生手段と、所定の駆動電界を発生させることでイオンを振動させて音波を発生させる駆動電極と、を備えている。
【０００８】
請求項１に記載のスピーカでは、イオン発生手段がイオンを発生させると共に、駆動電極が所定の駆動電界を発生させることで、イオンが振動されて音波が発生される。これにより、音波が伝播される。
【０００９】
ここで、請求項１に記載のスピーカでは、従来の振動膜が必要ないため、破損や劣化を防止することができる。
【００１０】
請求項２に記載のスピーカは、請求項１に記載のスピーカにおいて、前記イオン発生手段及び駆動電極の少なくとも一方を透明または細線状とした、ことを特徴としている。
【００１１】
請求項２に記載のスピーカでは、イオン発生手段及び駆動電極の少なくとも一方を透明または細線状としたため、スピーカの透明化を図ることができる。
【００１２】
請求項３に記載のスピーカは、請求項１または請求項２に記載のスピーカにおいて、前記イオン発生手段がプラスイオンとマイナスイオンとを発生させた際にプラスイオンまたはマイナスイオンを吸引する吸引電極を備えた、ことを特徴としている。
【００１３】
請求項３に記載のスピーカでは、イオン発生手段がプラスイオンとマイナスイオンとを発生させた際に、吸引電極がプラスイオンまたはマイナスイオンを吸引する。このため、イオン発生手段が発生させたプラスイオンとマイナスイオンとがクーロン相互作用により互いに引き合って再結合することによる中性化を抑制でき、プラスイオンまたはマイナスイオンを残存させることができる。
【００１４】
請求項４に記載のスピーカは、請求項３に記載のスピーカにおいて、前記吸引電極を透明または細線状とした、ことを特徴としている。
【００１５】
請求項４に記載のスピーカでは、吸引電極を透明または細線状としたため、中性化抑制電極を備える場合でも、スピーカの透明化を図ることができる。
【００１６】
請求項５に記載のスピーカは、請求項１乃至請求項４の何れか１項に記載のスピーカにおいて、前記イオン発生手段がプラスイオンとマイナスイオンとを発生させた際に前記駆動電極がプラスイオンとマイナスイオンとの振動方向を同一方向側とする、ことを特徴としている。
【００１７】
請求項５に記載のスピーカでは、イオン発生手段がプラスイオンとマイナスイオンとを発生させた際に、駆動電極がプラスイオンとマイナスイオンとの振動方向を同一方向側とする。このため、イオン発生手段が発生させたプラスイオンとマイナスイオンとの振動方向が逆方向側となることにより音波が打ち消されて音波が伝播されにくくなることを防止することができる。
【００１８】
請求項６に記載のスピーカは、請求項１乃至請求項５の何れか１項に記載のスピーカにおいて、表面を平面状または曲面状とし、かつ、前記駆動電極は前記表面近傍でイオンを振動させる、ことを特徴としている。
【００１９】
請求項６に記載のスピーカでは、その表面が平面状または曲面状とされており、この表面近傍で駆動電極がイオンを振動させる。このため、スピーカの表面から均一に音波を発生させることができ、音波の指向性を鋭くすることができる。
【００２０】
【発明の実施の形態】
［第１の実施の形態］
図１には、本発明のスピーカが適用されて構成された第１の実施の形態に係るガラススピーカ１０が正面図にて示されており、図２には、ガラススピーカ１０が断面図にて示されている。
【００２１】
本実施の形態に係るガラススピーカ１０は、平板状とされており、基板として透明平板状のガラス１２を備えている。
【００２２】
ガラス１２の表面は、イオン発生手段としてのイオン発生膜１４に被覆されており、イオン発生膜１４は、例えば二酸化チタン等とされて透明とされている。図３に示す如く、イオン発生膜１４は、例えば太陽光、蛍光灯または電球による紫外線を照射されることで、ガラススピーカ１０表側（表面近傍）の空気中の水分からラジカルイオン（Ｈ＋イオン（プラスイオン）及びＯＨ−イオン（マイナスイオン））を発生させる（生成する）。
【００２３】
ガラス１２の表面には、長尺透明膜状の吸引電極１６が複数（本実施の形態では２２個）形成（プリント）されており、複数の吸引電極１６は略等間隔で並列状に配置されている。なお、各吸引電極１６が配置されたガラス１２表面の部位には、イオン発生膜１４が存在していない。
【００２４】
各吸引電極１６は、吸引電源１８（バイアス電源）に接続されており、ガラス１２中央の所定数（本実施の形態では６個）の吸引電極１６、ガラス１２右端の所定数（本実施の形態では５個）の吸引電極１６、及び、ガラス１２左端の所定数（本実施の形態では３個）の吸引電極１６は、吸引電源１８の正側に接続される一方、ガラス１２中央の所定数の吸引電極１６とガラス１２右端の所定数の吸引電極１６との間の所定数（本実施の形態では４個）の吸引電極１６、及び、ガラス１２中央の所定数の吸引電極１６とガラス１２左端の所定数の吸引電極１６との間の所定数（本実施の形態では４個）の吸引電極１６は、吸引電源１８の負側に接続されている。
【００２５】
このため、吸引電源１８によって各吸引電極１６に電圧を印可することで、吸引電源１８の正側に接続された各吸引電極１６がＨ＋イオンを遠ざけると共にＯＨ−イオンを吸引してＯＨ−イオンが中性化される一方、吸引電源１８の負側に接続された各吸引電極１６がＯＨ−イオンを遠ざけると共にＨ＋イオンを吸引してＨ＋イオンが中性化される。これにより、吸引電源１８の正側に接続された各吸引電極１６が配置される領域ＡではＨ＋イオンのみが残存する一方、吸引電源１８の負側に接続された各吸引電極１６が配置される領域ＢではＯＨ−イオンのみが残存し、Ｈ＋イオンとＯＨ−イオンとがクーロン相互作用により互いに引き合って再結合することによる中性化が抑制される。
【００２６】
ガラス１２の表面には、駆動電極を構成する長尺透明膜状の表駆動電極２０が所定数（本実施の形態では２個）形成（プリント）されており、表駆動電極２０は、各吸引電極１６に平行とされると共に、領域Ｂの中央に配置されている。また、ガラス１２の裏面には、駆動電極を構成する透明膜状の裏駆動電極２２が形成されており、裏駆動電極２２はガラス１２裏面のイオン発生膜１４に対向する部位を被覆している。なお、表駆動電極２０が配置されたガラス１２表面の部位には、イオン発生膜１４が存在していない。
【００２７】
表駆動電極２０と裏駆動電極２２との間には、駆動電源２４が接続されており、駆動電源２４によって表駆動電極２０と裏駆動電極２２との間に音声信号等によって変調された電圧が印加されることで、図２の電気力線Ｅで示される駆動電界が発生される。このため、ガラススピーカ１０の表側に出てきた駆動電界によってガラススピーカ１０表面近傍のＨ＋イオンとＯＨ−イオンとが加速されて振動され、これにより、この振動が空気に伝えられて音波が発生されることで、音波がガラススピーカ１０の前方へ向けて空気中を伝播される（図４参照）。
【００２８】
図２に示す如く、ガラススピーカ１０の表側に出てくる駆動電界のガラススピーカ１０の法線方向における方向は、領域Ａと領域Ｂとで逆方向側とされており、これにより、Ｈ＋イオンとＯＨ−イオンとの振動方向が常にガラススピーカ１０の法線方向において同一方向側とされた構成である。
【００２９】
次に、本実施の形態の作用を説明する。
【００３０】
以上の構成のガラススピーカ１０では、イオン発生膜１４に紫外線が照射されることで、ガラススピーカ１０の表面近傍に、空気中の水分からＨ＋イオンとＯＨ−イオンとが発生される。
【００３１】
また、領域Ａに配置された各吸引電極１６がＯＨ−イオンを吸引してＯＨ−イオンを中性化させると共に、領域Ｂに配置された各吸引電極１６がＨ＋イオンを吸引してＨ＋イオンを中性化させる。このため、イオン発生膜１４が発生させたＨ＋イオンとＯＨ−イオンとがクーロン相互作用により互いに引き合って再結合することによる中性化を抑制することができ、領域ＡではＨ＋イオンを残存させることができると共に、領域ＢではＯＨ−イオンを残存させることができる。
【００３２】
さらに、駆動電源２４によって表駆動電極２０と裏駆動電極２２との間に音声信号等によって変調された電圧が印加されることで駆動電界が発生される。これにより、Ｈ＋イオンとＯＨ−イオンとが振動され、この振動が空気に伝えられて音波が発生されることで、音波がガラススピーカ１０の前方へ向けて空気中を伝播される。
【００３３】
また、ガラススピーカ１０の表側に出てくる駆動電界のガラススピーカ１０の法線方向における方向が領域Ａと領域Ｂとで逆方向側とされることで、Ｈ＋イオンとＯＨ−イオンとの振動方向が常にガラススピーカ１０の法線方向において同一方向側とされている。このため、イオン発生膜１４が発生させたＨ＋イオンとＯＨ−イオンとの振動方向がガラススピーカ１０の法線方向において逆方向側となることにより音波が打ち消されて音波が伝播されにくくなることを防止することができる。
【００３４】
ここで、このガラススピーカ１０では、従来の振動膜が必要ないため、破損や劣化を防止することができる。
【００３５】
さらに、ガラススピーカ１０の表面（イオン発生膜１４、吸引電極１６及び表駆動電極２０による表面）は、ほぼ平面状とされており、ガラススピーカ１０の表面近傍でＨ＋イオンとＯＨ−イオンとが振動される。このため、ガラススピーカ１０の表面から均一に音波を発生させることができ、音波の指向性を鋭くすることができる。
【００３６】
しかも、ガラススピーカ１０の表面がほぼ平面状とされているため、音波の拡散が抑制される。これにより、ガラススピーカ１０による情報の秘匿性を、イヤホンやヘッドホン等の特別な機器を用いることなく確保することができる。
【００３７】
また、ガラス１２、イオン発生膜１４、吸引電極１６、表駆動電極２０及び裏駆動電極２２を全て透明としたため、ガラススピーカ１０を充分に透明にすることができる。
【００３８】
このため、このガラススピーカ１０を、ディスプレイ等の画面におけるカバーガラスの他、ビル等の建築物や車等におけるドアガラス及び窓ガラス等に適用でき、これらに他の特別なスピーカを取り付ける必要をなくすことができる。
【００３９】
さらに、ガラススピーカ１０がディスプレイ等の画面におけるカバーガラスに適用された場合には、指向性の鋭い音場を画面近傍に作ることができる。
【００４０】
また、ガラススピーカ１０が建築物のドアガラスや窓ガラスに適用された場合には、このドアガラスや窓ガラスから音を出すことができて、人に近いところに個別に音が出せるようになるため、的確な情報伝達が可能となる。
【００４１】
さらに、ガラススピーカ１０が車のフロントガラスに適用された場合には、このフロントガラスから音を出すことができ、車の設計自由度を向上させることができる。
【００４２】
さらにまた、イオン発生膜１４を二酸化チタンとした場合には、イオン発生膜１４が抗菌性を有している。このため、ガラススピーカ１０の表面に手の指紋等の汚れが付いても、この汚れを自然に除去することができる。
【００４３】
また、イオン発生膜１４による発生されるイオンがＨ＋イオン及びＯＨ−イオンであるため、イオンによる匂いの発生を防止することができる。
【００４４】
なお、本実施の形態では、表駆動電極２０を領域Ｂの中央に配置した構成としたが、表駆動電極（駆動電極）を領域Ａの中央に配置した構成としてもよい。
【００４５】
［第２の実施の形態］
図５には、本発明のスピーカが適用されて構成された第２の実施の形態に係るガラススピーカ３０が断面図にて示されている。
【００４６】
本実施の形態に係るガラススピーカ３０は、上記第１の実施の形態と同様に、平板状とされており、ガラス１２及びイオン発生膜１４を備えている。
【００４７】
ガラス１２の表面には、吸引電極及び駆動電極としての長尺透明膜状の第１電極３２及び第２電極３４がそれぞれ所定数（本実施の形態では第１電極３２が３個かつ第２電極３４が１８個）形成（プリント）されている。所定数の第１電極３２は略等間隔で並列状に配置されると共に、所定数の第２電極３４は第１電極３２間において略等間隔で並列状にかつ各第１電極３２に平行に配置されている。なお、各第１電極３２及び各第２電極３４が配置されたガラス１２表面の部位には、イオン発生膜１４が存在していない。
【００４８】
図６に示す如く、各第１電極３２及び各第２電極３４は、上記第１の実施の形態と同様の吸引電源１８（バイアス電源）に接続されており、各第１電極３２は吸引電源１８の正側に接続される一方、各第２電極３４は吸引電源１８の負側に接続されている。
【００４９】
このため、吸引電源１８によって各第１電極３２と各第２電極３４との間に電圧を印可することで、吸引電源１８の正側に接続された各第１電極３２がＨ＋イオンを遠ざけると共にＯＨ−イオンを吸引してＯＨ−イオンが中性化される一方、吸引電源１８の負側に接続された各第２電極３４がＯＨ−イオンを遠ざけると共にＨ＋イオンを吸引してＨ＋イオンが中性化される。これにより、各第１電極３２が配置される領域Ａ（図７参照）ではＨ＋イオンのみが残存する一方、各第２電極３４が配置される領域Ｂ（図７参照）ではＯＨ−イオンのみが残存し、Ｈ＋イオンとＯＨ−イオンとがクーロン相互作用により互いに引き合って再結合することによる中性化が抑制される。
【００５０】
各第１電極３２と各第２電極３４との間には、上記第１の実施の形態と同様の駆動電源２４が接続されており、駆動電源２４によって各第１電極３２と各第２電極３４との間に音声信号等によって変調された電圧が印加されることで、図７の電気力線Ｅで示される駆動電界が発生される。このため、ガラススピーカ３０の表側に出てきた駆動電界によってガラススピーカ３０表面近傍のＨ＋イオンとＯＨ−イオンとが加速されて振動され、これにより、この振動が空気に伝えられて音波が発生されることで、音波がガラススピーカ３０の前方へ向けて空気中を伝播される（図５参照）。
【００５１】
図７に示す如く、ガラススピーカ３０の表側に出てくる駆動電界のガラススピーカ３０の法線方向における方向は、領域Ａと領域Ｂとで逆方向側とされており、これにより、Ｈ＋イオンとＯＨ−イオンとの振動方向が常にガラススピーカ３０の法線方向において同一方向側とされている。
【００５２】
図６に示す如く、吸引電源１８にはコイル３６（ローパスフィルター）が直列に接続されており、吸引電源１８の負側はコイル３６を介して各第２電極３４に接続されている。一方、駆動電源２４にはコンデンサ３８が直列に接続されており、駆動電源２４はコンデンサ３８を介して各第１電極３２に接続されている。さらに、吸引電源１８及びコイル３６と駆動電源２４及びコンデンサ３８とは、並列に接続されている。このため、駆動電源２４からの交流電流（変調電流）が吸引電源１８側に流れてショートすることがコイル３６によって防止されると共に、吸引電源１８からの直流電流（バイアス電流）が駆動電源２４側に流れてショートすることがコンデンサ３８によって防止された構成である。
【００５３】
次に、本実施の形態の作用を説明する。
【００５４】
以上の構成のガラススピーカ３０では、イオン発生膜１４に紫外線が照射されることで、ガラススピーカ３０の表面近傍に、空気中の水分からＨ＋イオンとＯＨ−イオンとが発生される。
【００５５】
また、領域Ａに配置された各第１電極３２がＯＨ−イオンを吸引してＯＨ−イオンを中性化させると共に、領域Ｂに配置された各第２電極３４がＨ＋イオンを吸引してＨ＋イオンを中性化させる。このため、イオン発生膜１４が発生させたＨ＋イオンとＯＨ−イオンとがクーロン相互作用により互いに引き合って再結合することによる中性化を抑制することができ、領域ＡではＨ＋イオンを残存させることができると共に、領域ＢではＯＨ−イオンを残存させることができる。
【００５６】
さらに、駆動電源２４によって各第１電極３２と各第２電極３４との間に音声信号等によって変調された電圧が印加されることで駆動電界が発生される。これにより、Ｈ＋イオンとＯＨ−イオンとが振動され、この振動が空気に伝えられて音波が発生されることで、音波がガラススピーカ３０の前方へ向けて空気中を伝播される。
【００５７】
また、ガラススピーカ３０の表側に出てくる駆動電界のガラススピーカ３０の法線方向における方向が領域Ａと領域Ｂとで逆方向側とされることで、Ｈ＋イオンとＯＨ−イオンとの振動方向が常にガラススピーカ３０の法線方向において同一方向側とされている。このため、イオン発生膜１４が発生させたＨ＋イオンとＯＨ−イオンとの振動方向がガラススピーカ３０の法線方向において逆方向側となることにより音波が打ち消されて音波が伝播されにくくなることを防止することができる。
【００５８】
ここで、本実施の形態に係るガラススピーカ３０でも、上記第１の実施の形態に係るガラススピーカ１０と同様の効果を得ることができる。
【００５９】
なお、本実施の形態では、吸引電源１８にコイル３６を直列に接続した構成としたが、コイル３６を設置することが困難な際等には、図８に示す如く、コイル３６に代えて吸引電源１８に抵抗４０（例えば抵抗値が１００ｋΩ程度から１００ＭΩ程度のもの）を直列に接続した構成としてもよく、この場合でも、駆動電源２４からの交流電流（変調電流）が吸引電源１８側に流れてショートすることを防止することができる。また、抵抗４０には電流があまり流れないため、大きな抵抗値の抵抗４０を吸引電源１８に接続しても、抵抗４０による電圧降下を小さくすることができる。
【００６０】
さらにまた、上記第１の実施の形態では吸引電極１６及び表駆動電極２０を透明とした構成とすると共に、上記第２の実施の形態では第１電極３２及び第２電極３４を透明とした構成としたが、吸引電極や表駆動電極（駆動電極）または第１電極や第２電極（吸引電極及び駆動電極）を細線状（特に微細線状）とした構成としてもよく、この場合でもガラススピーカ（スピーカ）の透明化を図ることができる。
【００６１】
また、上記第１の実施の形態及び第２の実施の形態では、ガラススピーカ１０、３０の表面を平面状とした構成としたが、ガラススピーカ（スピーカ）の表面を曲面状とした構成としてもよい。この際に、ガラススピーカの表面を凹面状とした場合には音波の収束性を高めることができる一方、ガラススピーカの表面を凸面状とした場合には音波の拡散性を高めることができる。
【００６２】
さらに、上記第１の実施の形態及び第２の実施の形態では、吸引電極１６及び表駆動電極２０または第１電極３２及び第２電極３４が配置されたガラス１２表面の部位にイオン発生膜１４が存在しない構成としたが、吸引電極や表駆動電極（駆動電極）または第１電極や第２電極（吸引電極及び駆動電極）をイオン発生膜（イオン発生手段）の表面に形成した構成としてもよい。
【００６３】
また、上記第１の実施の形態及び第２の実施の形態では、領域Ａに配置される吸引電極１６または第１電極３２を吸引電源１８の正側に接続する一方、領域Ｂに配置される吸引電極１６または第２電極３４を吸引電源１８の負側に接続した構成としたが、領域Ａに配置される吸引電極または第１電極を吸引電源の負側に接続する一方、領域Ｂに配置される吸引電極または第２電極を吸引電源の正側に接続した構成としてもよく、この場合には、領域ＡではＯＨ−イオンのみが残存する一方、領域ＢではＨ＋イオンのみが残存する。
【００６４】
さらに、上記第１の実施の形態及び第２の実施の形態では、ガラススピーカ１０、３０（スピーカ）の基板をガラス１２とした構成としたが、スピーカの基板を他の絶縁体とした構成としてもよく、この際に絶縁体が透明でない場合には、第１の実施の形態におけるイオン発生膜（イオン発生手段）、吸引電極、表駆動電極及び裏駆動電極（駆動電極）または第２の実施の形態におけるイオン発生膜（イオン発生手段）、第１電極及び第２電極（吸引電極及び駆動電極）は、透明または細線状である必要はなく、金属膜であってもよい。
【００６５】
また、上記第１の実施の形態及び第２の実施の形態では、イオン発生手段として紫外線によりラジカルイオンが発生するイオン発生膜を用いた構成としたが、イオン発生手段として例えば吸引電極間または第１電極と第２電極との間に高電圧を印加してオゾン等のイオンを無声放電で発生させる（生成する）構成としてもよく、また、イオン発生手段としてガラススピーカ（スピーカ）の表面にイオンを照射する構成としてもよい。これらの場合、スピーカを基板（ガラス等の絶縁体）が存在しない構成とすることができる。
【００６６】
（実施例）
図９には、上記第１の実施の形態または第２の実施の形態の実施例が側面図にて示されている。
【００６７】
本実施例では、上記第１の実施の形態または第２の実施の形態に係るガラススピーカ１０、３０が、ディスプレイパネル５０の画面前方におけるカバーガラスとされており、ガラススピーカ１０、３０の表面が操作者５２に向けられている。また、操作者５２はガラススピーカ１０、３０の表面に触れることで、ディスプレイパネル５０を操作可能とされている。
【００６８】
ガラススピーカ１０、３０表面の前方かつ上方には、蛍光灯５４が設けられており、蛍光灯５４による紫外線がイオン発生膜１４に照射されることで、Ｈ＋イオン及びＯＨ−イオンが発生され、さらに、上記第１の実施の形態または第２の実施の形態の如くＨ＋イオンとＯＨ−イオンとが振動されて音波が発生されることで、音波が操作者５２の特に上半身へ向けて伝播される。
【００６９】
【発明の効果】
請求項１に記載のスピーカでは、イオン発生手段がイオンを発生させると共に駆動電極が所定の駆動電界を発生させることでイオンが振動されて音波が発生されるため、従来の振動膜が必要なく、破損や劣化を防止することができる。
【００７０】
請求項２に記載のスピーカでは、イオン発生手段及び駆動電極の少なくとも一方を透明または細線状としたため、スピーカの透明化を図ることができる。
【００７１】
請求項３に記載のスピーカでは、吸引電極がプラスイオンまたはマイナスイオンを吸引するため、イオン発生手段が発生させたプラスイオンとマイナスイオンとのクーロン相互作用による中性化を抑制でき、プラスイオンまたはマイナスイオンを残存させることができる。
【００７２】
請求項４に記載のスピーカでは、吸引電極を透明または細線状としたため、中性化抑制電極を備える場合でも、スピーカの透明化を図ることができる。
【００７３】
請求項５に記載のスピーカでは、駆動電極がプラスイオンとマイナスイオンとの振動方向を同一方向側とするため、音波が打ち消されて音波が伝播されにくくなることを防止することができる。
【００７４】
請求項６に記載のスピーカでは、平面状または曲面状とされた表面近傍で駆動電極がイオンを振動させるため、スピーカの表面から均一に音波を発生させることができ、音波の指向性を鋭くすることができる。
【図面の簡単な説明】
【図１】本発明の第１の実施の形態に係るガラススピーカを示す正面図である。
【図２】本発明の第１の実施の形態に係るガラススピーカを示す断面図である。
【図３】本発明の第１の実施の形態に係るガラススピーカにおけるイオン発生状況を示す断面図である。
【図４】本発明の第１の実施の形態に係るガラススピーカにおける音波伝播状況を示す断面図である。
【図５】本発明の第２の実施の形態に係るガラススピーカを示す断面図である。
【図６】本発明の第２の実施の形態に係るガラススピーカにおける第１電極、第２電極、吸引電源及び駆動電源等の接続状況を示す回路図である。
【図７】本発明の第２の実施の形態に係るガラススピーカにおける駆動電界の発生状況とＨ＋イオン及びＯＨ−イオンの流れとを示す断面図である。
【図８】本発明の第２の実施の形態の別例に係るガラススピーカにおける第１電極、第２電極、吸引電源及び駆動電源等の接続状況を示す回路図である。
【図９】本発明の第１の実施の形態または第２の実施の形態の実施例を示す側面図である。
【符号の説明】
１０　　　ガラススピーカ（スピーカ）
１４　　　イオン発生膜（イオン発生手段）
１６　　　吸引電極
２０　　　表駆動電極（駆動電極）
２２　　　裏駆動電極（駆動電極）
３０　　　ガラススピーカ（スピーカ）
３２　　　第１電極（吸引電極、駆動電極）
３４　　　第２電極（吸引電極、駆動電極）
【図１】
2004056378.tif 000003
【図２】
2004056378.tif 000004
【図３】
2004056378.tif 000005
【図４】
2004056378.tif 000006
【図５】
2004056378.tif 000007
【図６】
2004056378.tif 000008
【図７】
2004056378.tif 000009
【図８】
2004056378.tif 000010
【図９】
2004056378.tif 000011